(57)【要約】【課題】観察者が注視すべき画像を容易に把握することが可能な記録再生装置及び記録再生方法を提供する。【解決手段】記録再生装置１００において、記録ユニット１５０は、プレゼンテーションにおいて発表者２００が複数の画像を同時に用いた発表を行う際に、当該画像に対応する画像情報と、発表者２００の動作に対応する動作情報とを記録しておく。その後、画像情報の再生の際には、再生ユニット１６０は、動作情報に基づいて、観察者が注視すべき画像が当該観察者によって識別可能なように画像情報の再生を行う。【選択図】図１
2007123960.tif 000002
【特許請求の範囲】
【請求項１】
発表者による発表に用いられる複数の画像情報を記録する画像情報記録手段と、
前記発表者による発表時の動作に対応する動作情報を記録する動作情報記録手段と、
前記動作情報記録手段に記録された動作情報に基づいて、前記画像情報記録手段に記録された複数の画像情報の中から前記発表者の動作に関連する画像情報を選択する画像情報選択手段と、
前記画像情報選択手段により選択された画像情報に対応する画像を観察者が識別可能とする画像処理を行う画像処理手段と、
前記画像処理手段により画像処理がなされた画像情報と他の画像情報とを同時に再生する画像情報再生手段とを有することを特徴とする記録再生装置。
【請求項２】
前記画像情報は、該画像情報が発表において用いられた時刻の情報が付加され、
前記動作情報は、該動作情報に対応する動作が行われた時刻の情報が付加されることを特徴とする請求項１に記載の記録再生装置。
【請求項３】
前記画像情報選択手段は、前記動作情報に付加された時刻の情報と一致又は近似する時刻の情報が付加された前記画像情報を選択することを特徴とする請求項２に記載の記録再生装置。
【請求項４】
前記動作情報は、前記発表者の音声情報、前記発表者の視線情報、前記発表者の姿勢情報、前記発表者の位置情報、及び、前記発表者が前記画像を指し示す際の指示位置の情報の少なくともいずれかであることを特徴とする請求項１乃至３のいずれかに記載の記録再生装置。
【請求項５】
前記画像処理手段は、前記画像情報に対応する画像に対する外枠の付加、前記画像情報に対応する画像の明度の変更、前記画像情報に対応する画像のデザインの変更、及び、前記画像情報に対応する画像の拡大の少なくともいずれかを行うことを特徴とする請求項１乃至４のいずれかに記載の記録再生装置。
【請求項６】
発表者による発表に用いられる複数の画像情報を記録手段に記録する画像情報記録ステップと、
前記発表者による発表時の動作に対応する動作情報を記録手段に記録する動作情報記録ステップと、
前記記録手段に記録された動作情報に基づいて、前記記録手段に記録された複数の画像情報の中から前記発表者の動作に関連する画像情報を選択する画像情報選択ステップと、
前記画像情報選択ステップにより選択された画像情報に対応する画像を観察者が識別可能とする画像処理を行う画像処理ステップと、
前記画像処理ステップにより画像処理がなされた画像情報と他の画像情報とを同時に再生する画像情報再生ステップとを有することを特徴とする記録再生方法。
【請求項７】
前記画像情報は、該画像情報が発表において用いられた時刻の情報が付加され、
前記動作情報は、該動作情報に対応する動作が行われた時刻の情報が付加され、
前記画像情報選択ステップは、前記動作情報が付加された時刻の情報と一致又は近似する時刻の情報が付加された前記画像情報を選択することを特徴とする請求項６に記載の記録再生方法。
【発明の詳細な説明】
【技術分野】
【０００１】
本発明は、プレゼンテーション等において、発表者による発表に用いられる複数の画像情報を記録し、再生する記録再生装置及び記録再生方法に関する。
【背景技術】
【０００２】
従来、プレゼンテーションにおいては、パーソナルコンピュータ（ＰＣ）のプレゼンテーション用ソフトウェアを用いて作成された資料（プレゼンテーション資料）の画像をプロジェクタによって投影する手法が用いられることが多い。このような手法により、プレゼンテーション資料の見映えを向上させ、参加者にとってわかりやすいプレゼンテーションが可能となる。
【０００３】
また、プレゼンテーションの際、その内容を記録して後日に再生することも行われている。プレゼンテーションの内容を記録、再生することにより、聞き手による内容の再確認だけでなく、より多くの人にプレゼンテーションの内容を提供することができる。
【０００４】
例えば、特許文献１は、プレゼンテーションにおいて提示された画像情報と、発表者が指し示した画像指示情報とを記録し、再生時にプレゼンテーションで提示された画像情報のみならず、発表者によって指し示された位置を示すことができるシステムを提案している。このシステムにより、再生時における聞き手がプレゼンテーションの内容を理解しやすくなる。
【特許文献１】特開２００２−３７４５２７号公報
【発明の開示】
【発明が解決しようとする課題】
【０００５】
上述した特許文献１は、再生時に表示させる画像において発表者の指示位置を認識可能とするシステムであり、単一の画像を用いたプレゼンテーションの場合には、再生時における聞き手が注視する範囲は狭いため、発表者の指示位置を画像の中から容易に見つけることができる。しかし、複数の画像を同時に用いるプレゼンテーションの場合、再生時における聞き手が注視する範囲は広いため、複数の画像の中から指示位置を見つけることは容易ではない。更には、発表者が注視させたい画像は、プレゼンテーションの進行に伴って変わることが一般的であるため、聞き手は、プレゼンテーションの進行に応じて、発表者が注視させたい画像の中の指示位置を随時探す必要がある。しかし、指示位置を探すことが容易ではないため、探しているうちに、発表者の説明が進んでしまうことになり、発表内容を十分理解できないばかりか、探索による疲労が生じる場合もある。
【０００６】
本発明は、上記問題点に鑑みてなされたもので、観察者が注視すべき画像を容易に把握することが可能な記録再生装置及び記録再生方法を提供することを目的としている。
【課題を解決するための手段】
【０００７】
本発明の記録再生装置は、発表者による発表に用いられる複数の画像情報を記録する画像情報記録手段と、前記発表者による発表時の動作に対応する動作情報を記録する動作情報記録手段と、前記動作情報記録手段に記録された動作情報に基づいて、前記画像情報記録手段に記録された複数の画像情報の中から前記発表者の動作に関連する画像情報を選択する画像情報選択手段と、前記画像情報選択手段により選択された画像情報に対応する画像を観察者が識別可能とする画像処理を行う画像処理手段と、前記画像処理手段により画像処理がなされた画像情報と他の画像情報とを同時に再生する画像情報再生手段とを有する。
【０００８】
この構成により、画像情報の再生時には、発表者の動作に関連する画像情報に対応する画像が他の画像情報に対応する画像とは識別可能な状態で表示されることになる。従って、再生時における観察者は、複数の画像のうちどの画像を注視すべきかを容易に把握することができ、プレゼンテーション等の発表の内容の理解が容易になる。
【０００９】
また、本発明の記録再生装置は、前記画像情報が、該画像情報が発表において用いられた時刻の情報が付加され、前記動作情報が、該動作情報に対応する動作が行われた時刻の情報が付加される。
【００１０】
また、本発明の記録再生装置は、前記画像情報選択手段が、前記動作情報に付加された時刻の情報と一致又は近似する時刻の情報が付加された前記画像情報を選択する。
【００１１】
この構成により、発表者の動作と画像との同期がとれた適切な再生を簡易に行うことが可能となる。
【００１２】
また、本発明の記録再生装置は、前記動作情報が、前記発表者の音声情報、前記発表者の視線情報、前記発表者の姿勢情報、前記発表者の位置情報、及び、前記発表者が前記画像を指し示す際の指示位置の情報の少なくともいずれかである。
【００１３】
また、本発明の記録再生装置は、前記画像処理手段が、前記画像情報に対応する画像に対する外枠の付加、前記画像情報に対応する画像の明度の変更、前記画像情報に対応する画像のデザインの変更、及び、前記画像情報に対応する画像の拡大の少なくともいずれかを行う。
【００１４】
また、本発明の記録再生方法は、発表者による発表に用いられる複数の画像情報を記録手段に記録する画像情報記録ステップと、前記発表者による発表時の動作に対応する動作情報を記録手段に記録する動作情報記録ステップと、前記記録手段に記録された動作情報に基づいて、前記記録手段に記録された複数の画像情報の中から前記発表者の動作に関連する画像情報を選択する画像情報選択ステップと、前記画像情報選択ステップにより選択された画像情報に対応する画像を観察者が識別可能とする画像処理を行う画像処理ステップと、前記画像処理ステップにより画像処理がなされた画像情報と他の画像情報とを同時に再生する画像情報再生ステップとを有する。
【００１５】
この構成により、画像情報の再生時には、発表者の動作に関連する画像情報に対応する画像が他の画像情報に対応する画像とは識別可能な状態で表示されることになる。従って、再生時における観察者は、複数の画像のうちどの画像を注視すべきかを容易に把握することができ、プレゼンテーション等の発表の内容の理解が容易になる。
【００１６】
また、本発明の記録再生装置は、前記画像情報が、該画像情報が発表において用いられた時刻の情報が付加され、前記動作情報が、該動作情報に対応する動作が行われた時刻の情報が付加され、前記画像情報選択ステップが、前記動作情報に付加された時刻の情報と一致又は近似する時刻の情報が付加された前記画像情報を選択する。
【００１７】
この構成により、発表者の動作と画像との同期がとれた適切な再生を簡易に行うことが可能となる。
【発明の効果】
【００１８】
本発明によれば、画像情報の再生時には、発表者の動作に関連する画像情報に対応する画像が他の画像情報に対応する画像とは識別可能な状態で表示され、再生時における観察者は、複数の画像のうちどの画像を注視すべきかを容易に把握することができる。
【発明を実施するための最良の形態】
【００１９】
以下、本発明の実施の形態の記録再生装置について、図面を用いて説明する。図１は、本発明における記録再生装置のハードウェア構成を示す図である。図１に示す記録再生装置１００は、プレゼンテーションにおいて発表者２００が電子資料である複数の画像を同時に用いた発表を行う際に、当該画像に対応する画像情報を記録しておき、その後再生を行うものである。この記録再生装置１００は、パーソナルコンピュータ（以下、ＰＣ）１１０、画像表示部１２０−１、１２０−２、１２０−３（以下、これら画像表示部１２０−１、１２０−２、１２０−３をまとめて適宜「画像表示部１２０」と称する）、マウス１３０、キーボード１３１、カメラ１４０、記録ユニット１５０及び再生ユニット１６０により構成される。
【００２０】
これらのうち、画像情報記録時には、ＰＣ１１０、画像表示部１２０、マウス１３０、カメラ１４０及び記録ユニット１５０が用いられる。一方、画像情報再生時には、記録ユニット１５０及び再生ユニット１６０が用いられる。
【００２１】
ＰＣ１１０は、一般的な構成であり、図示しない中央演算装置（ＣＰＵ：Central Processing Unit）、メモリ、ハードディスクを有し、操作部としてのマウス１３０及びキーボード１３１と、画像表示部１２０とが接続されている。ハードディスクには、プレゼンテーションにおいて提示される画像に対応する画像情報が記録されている。ＰＣ１１０は、プレゼンテーションの進行に応じて、発表者２００がマウス１３０やキーボード１３１を操作することにより画像表示を指示すると、その指示に従い、ハードディスクに記録された画像情報に対応する映像信号を画像表示部１２０−１乃至１２０−３へ出力する。プレゼンテーションにおいて複数の画像が同時に用いられる場合には、ＰＣ１１０は、画像表示部１２０−１乃至１２０−３に対して、異なる画像情報に対応する映像信号を同時に出力する。
【００２２】
画像表示部１２０−１乃至１２０−３は、ディスプレイ装置であり、それぞれＰＣ１１０からの映像信号を入力して画像を表示する。
【００２３】
また、ＰＣ１１０は、画像表示部１２０に表示された画像に対応する画像情報を記録ユニット１５０へ出力する。更に、ＰＣ１１０は、発表者２００がマウス１３０を操作して、画像表示部１２０に表示された画像を指し示した際における、その指示位置の情報を記録ユニット１５０へ出力する。
【００２４】
カメラ１４０は、発表者２００を撮影し、音声を含む撮像情報を記録ユニット１５０へ出力する。
【００２５】
図２は、記録ユニット１５０及び再生ユニット１６０のブロック図である。図２に示すように、記録ユニット１５０は、画像情報記録部１５２及び動作情報記録部１５４を有する。一方、再生ユニット１６０は、画像情報選択部１６２、画像処理部１６４及び画像情報再生部１６６を有する。
【００２６】
記録ユニット１５０内の画像情報記録部１５２は、プレゼンテーションにおいて、ＰＣ１１０からの画像表示部１２０に表示された画像に対応する画像情報を記録する。なお、プレゼンテーションにおいて複数の画像が同時に用いられる場合には、画像情報記録部１５２は、これら複数の画像のそれぞれに対応する画像情報をまとめて１つの画像情報として記録するようにしてもよい。
【００２７】
動作情報記録部１５４は、発表者２００の動作の情報を記録する。動作情報は、例えば、発表者２００がマウス１３０を操作して、画像表示部１２０に表示された画像を指し示した際における、その指示位置の情報、発表者２００の視線の情報、手等の姿勢の情報、位置の情報、発話内容、声の大きさ、抑揚等の音声情報である。これらのうち、指示位置情報は、ＰＣ１１０が出力するものである。一方、視線情報、姿勢情報、位置情報及び音声情報は、動作情報記録部１５４がカメラ１４０からの撮像情報に基づいて生成するものである。
【００２８】
再生ユニット１６０内の画像情報選択部１６２は、画像情報記録部１５２に記録された画像情報と動作情報記録部１５４に記録された動作情報とを読み出す。そして、画像情報選択部１６２は、動作情報に基づいて、読み出した画像情報の中から発表者２００の動作に関連する画像情報を選択する。画像情報選択部１６４は、選択した画像情報（選択画像情報）を他の画像情報（非選択画像情報）とともに画像処理部１６４へ出力する。
【００２９】
画像処理部１６４は、選択画像情報に対応する画像を観察者が識別可能とする画像処理を行う。画像情報再生部１６６は、選択画像情報及び非選択画像情報を再生する。
【００３０】
次に、フローチャートを参照しつつ、記録再生装置１００の動作について説明する。図３は、記録再生装置１００の画像情報記録時の動作を示すフローチャートである。プレゼンテーションが開始されると、ＰＣ１１０は、発表者２００がマウス１３０やキーボード１３１を操作して画像表示を指示すると、その指示に従い、ハードディスクに記録されている画像情報に対応する映像信号を画像表示部１２０へ出力する。画像表示部１２０は、映像信号を入力して画像を表示する。
【００３１】
上述した画像表示と並行して、ＰＣ１１０は、画像表示部１２０に表示されている画像に対応する複数の画像情報を記録ユニット１５０内の画像情報記録部１５２へ出力する。画像情報記録部１５２は、入力した画像情報に時刻情報（画像時刻情報）を付加した上で記録する（Ｓ１０１）。図４は、画像情報記録部１５２の記録領域の一例である。画像情報は、例えばＰＣ１１０が画像表示部１２０へ出力する映像信号であるＲＧＢ信号をＮＴＳＣ信号に変換したものであり、ＩＤ等の識別情報を含んでいる。画像時刻情報は、例えば、対応する画像情報が画像情報記録部１５２に入力された時刻の情報である。
【００３２】
更に、上述した画像表示と並行して、ＰＣ１１０は、発表者２００がマウス１３０を操作して、画像表示部１２０に表示された画像を指し示した際における、その指示位置の情報を記録ユニット１５０内の動作情報記録部１５４へ出力する。例えば、発表者２００は、画像に含まれる文字を読み上げる場合、読み上げと連動させて、マウス１３０により、画像上のマウスポインタで文字をなぞる操作を行う。指示位置情報は、発表者２００が指し示す画像に対応する画像の識別情報等が含まれる。また、上述した画像表示と並行して、カメラ１４０は、発表者２００を撮影し、音声を含む撮像情報を記録ユニット１５０内の動作情報記録部１５４へ出力する。
【００３３】
動作情報記録部１５４は、カメラ１４０からの撮像情報に基づいて、視線情報、姿勢情報、位置情報及び音声情報を生成する。更に、動作情報記録部１５４は、これら視線情報、姿勢情報、位置情報及び音声情報と、カメラ１４０からの撮像情報と、ＰＣ１１０からの指示位置情報とを動作情報として、時刻情報（動作時刻情報）を付加した上で記録する（Ｓ１０２）。図５は、動作情報記録部１５２の記録領域の一例である。動作時刻情報は、例えば、対応する動作情報が動作情報記録部１５４に入力された時刻、あるいは、対応する動作情報が動作情報記録部１５４によって生成された時刻の情報である。
【００３４】
このようにして、記録ユニット１５０内の画像情報記録部１５２に画像情報及び画像時刻情報が記録され、動作情報記録部１５４に動作情報及び動作時刻情報が記録された後、画像情報の再生が可能となる。
【００３５】
図６は、記録再生装置１００の画像情報再生時の動作を示すフローチャートである。再生ユニット１６０内の画像情報選択部１６２は、記録ユニット１５０内の画像情報記録部１５２に記録された画像情報及び画像時刻情報と、動作情報記録部１５４に記録された動作情報及び動作時刻情報とを読み出す。そして、画像情報選択部１６２は、各動作情報について、当該動作情報に付加されている動作時刻情報で表される時刻順に着目し、その着目した動作情報に付加されている動作時刻情報と一致あるいは近似する画像時刻情報が付加された画像情報を特定する。更に、画像情報選択部１６２は、着目している動作情報に基づいて、発表者２００が当該動作情報に対応する動作を行っていた時に用いていた画像、換言すれば、観察者が注視すべき画像に対応する画像情報を、特定した画像情報の中から選択する（Ｓ２０１）。例えば、動作情報に指示位置情報が含まれている場合、画像情報選択部１６２は、特定した画像情報の中から指示位置情報に含まれる画像識別情報に対応する画像情報を選択する。
【００３６】
このような画像情報の選択の後、画像情報選択部１６２は、選択した画像情報（選択画像情報）と他の画像情報（非選択画像情報）とを、画像時刻情報が付加された状態で画像処理部１６４へ出力する。また、画像情報選択部１６２は、動作情報に含まれる撮像情報とその動作情報に付加された動作時刻情報とを画像処理部１６４へ出力する。
【００３７】
画像処理部１６４は、入力した選択画像情報に対応する画像を観察者が識別可能とする画像処理を行う（Ｓ２０２）。例えば、画像処理部１６４は、選択画像情報に対応する画像に所定の色の太枠を付加したり、明度を上げる。あるいは、画像処理部１６４は、選択画像情報に対応する画像のデザインを変更したり、拡大する。このような画像処理の後、画像処理部１６４は、画像処理後の選択画像情報と、非選択画像情報とを、画像時刻情報が付加された状態で画像情報再生部１６６へ出力する。また、画像処理部１６４は、撮像情報とその動作情報に付加された動作時刻情報とを画像情報再生部１６６へ出力する。
【００３８】
画像情報再生部１６６は、入力した画像処理後の選択画像情報、非選択画像情報、及び、撮像情報を、これらに付加された画像時刻情報、動作時刻情報に基づいて、同期をとりながら再生する（Ｓ２０３）。図７は、再生画像の一例を示す図である。図７に示す再生画像の上部には、選択画像情報に対応する画像３０１と、非選択画像情報に対応する画像３０２及び３０３が含まれる。これらのうち、選択画像情報に対応する画像３０１は、画像処理部１６４による画像処理が行われることによって、非選択画像情報に対応する画像３０２及び３０３と識別可能なように周囲に太枠が表されている。また、再生画像の下部には、撮像情報に対応する画像３０４が含まれる。
【００３９】
このように、本実施形態の記録再生装置１００では、プレゼンテーションにおいて発表者２００が複数の画像を同時に用いた発表を行う際に、当該画像に対応する画像情報と発表者２００の動作に対応する動作情報とを記録しておき、その後、画像情報の再生の際には、動作情報に基づいて、観察者が注視すべき画像が当該観察者によって識別可能なように画像情報の再生を行う。従って、プレゼンテーションの現場に居合わせなかった者であっても、その後の画像情報の再生において、複数の画像のうち、どの画像を注視すべきかを容易に把握することができ、プレゼンテーションの内容の理解が容易になる。
【００４０】
なお、上述した実施形態では、動作情報の１つである指示位置情報は、発表者２００がマウス１３０を操作して、画像表示部１２０に表示された画像を指し示した際の指示位置の情報であるが、指示位置の情報は他にも様々なものが考えられる。例えば、レーザポインタ等の無線システムにより、画像表示部１２０に表示された画像における指示位置の情報でもよい。
【産業上の利用可能性】
【００４１】
以上、説明したように、本発明に係る記録再生装置及び記録再生方法は、観察者が注視すべき画像を容易に把握することが可能であり、記録再生装置及び記録再生方法として有用である。
【図面の簡単な説明】
【００４２】
【図１】記録再生装置のハードウェア構成を示す図である。
【図２】記録ユニット及び再生ユニットのブロック図である。
【図３】記録再生装置の画像情報記録時の動作を示すフローチャートである。
【図４】画像情報記録部の記録領域の一例である。
【図５】動作情報記録部の記録領域の一例である。
【図６】記録再生装置の画像情報再生時の動作を示すフローチャートである。
【図７】再生画像の一例である。
【符号の説明】
【００４３】
１００  記録再生装置
１１０  パーソナルコンピュータ（ＰＣ）
１２０−１、１２０−２、１２０−３  画像表示部
１３０  マウス
１３１  キーボード
１４０  カメラ
１５０  記録ユニット
１５２  画像情報記録部
１５４  動作情報記録部
１６０  再生ユニット
１６２  画像情報選択部
１６４  画像処理部
１６６  画像情報再生部
【図１】
2007123960.tif 000003
【図２】
2007123960.tif 000004
【図３】
2007123960.tif 000005
【図４】
2007123960.tif 000006
【図５】
2007123960.tif 000007
【図６】
2007123960.tif 000008
【図７】
2007123960.tif 000009